(57)【特許請求の範囲】
【請求項１】
視覚的に他の容器と相互に区別がつく２つ以上の複数の容器と、当該それぞれの容器に対応し他のスプーン又は／及びフォークと相互に区別がつくスプーン又は／及びフォークとからなり、
前記各容器とそれに対応させた各スプーン又は／及びフォークは視覚的に一致した要素を有することを特徴とする幼児用食器セット。
【請求項２】
前記複数の容器を載置可能にした片手持ち可能なトレーを備えたことを特徴とする請求項１記載の幼児用食器セット。
【請求項３】
前記片手持ち可能なトレーは前記複数の容器のうち少なくとも１つ又は複数の容器を載置するための断面凹形状の載置凹部を有することを特徴とする請求項２記載の幼児用食器セット。
【請求項４】
前記載置凹部は容器を上方に取り出し可能で且つ転倒を防止した断面凹形状であることを特徴とする請求項３記載の幼児用食器セット。
【請求項５】
前記複数の容器のうち少なくとも１つの容器は大気開放弁を備えた蓋を着脱自在に有することを特徴とする請求項１〜４のいずれかに記載の幼児用食器セット。
【請求項６】
前記複数の容器のうち少なくとも１つの容器は容量が１００ｍｌ以下であり、前記スプーン又は／及びフォークは、先端側を容器に入れた状態でスプーン又はフォークが当該容器の外側に転倒しない長さに設定したことを特徴とする請求項１〜４のいずれかに記載の幼児用食器セット。
【請求項７】
前記載置凹部のうち少なくとも１つは、加熱食品を入れた容器を外側から冷却するための冷却材とともに収納できることを特徴とする請求項３又は４記載の幼児用食器セット。
【発明の詳細な説明】
【技術分野】
【０００１】
本発明は幼児に離乳食を与えるのに好適であり、離乳期経過後にも使用できる幼児用食器セットに関する。
【背景技術】
【０００２】
乳幼児に対して母乳やミルクから離乳期に移行する食品に切り換える育児段階にあっては、乳幼児に食物を与えることで味覚が形成されることになる。
離乳期は乳幼児の月齢や食物の状態により、準備期、ゴックン期、モグモグ期、カミカミ期、パクパク期と進行する。
従って、離乳食もその成長に合せて、果汁、麦茶、野菜スープ、１０倍がゆ、７倍がゆ、５倍がゆ、野菜がゆ、ペースト食品、ヨーグルト食品等、多くの種類の離乳食を与えることになる。
この離乳食を与える際には、乳幼児に食物の味を覚えさせるのに食品が混合しないようにするのがよい。
しかし、これまではお母さんが１つのスプーンで異なる離乳食を順に与えることが多く、スプーンには異なる食品の味が混在することになり、乳幼児の味覚形成の障害になる恐れがあった。
また、乳幼児にアレルギー反応を生じさせる食品のチェックをする場合にも食品の混合をさけた方が好ましい。
【０００３】
特許文献１は、複数の料理盛り込み凹部を形成したホルダーに別のカップを嵌めて使うことができる食器を開示するが、この場合にも共通のスプーン又はフォークを使用する食器であって、食品毎にスプーン又はフォークを使い分ける技術的思想は存在しない。
【先行技術文献】
【特許文献】
【０００４】
【特許文献１】登録実用新案第３０１２３０６号公報
【発明の概要】
【発明が解決しようとする課題】
【０００５】
本発明は、乳幼児の離乳期に健全な味覚を形成するのに有効な幼児用食器セットの提供を目的とする。
また、お母さんが取り扱いやすく、離乳期経過後にも使用できる幼児用食器セットの提供を目的とする。
【課題を解決するための手段】
【０００６】
本発明に係る幼児用食器セットは、視覚的に他の容器と相互に区別がつく２つ以上の複数の容器と、当該それぞれの容器に対応し他のスプーン又は／及びフォークと相互に区別がつくスプーン又は／及びフォークとからなり、
前記各容器とそれに対応させた各スプーン又は／及びフォークは視覚的に一致した要素を有することを特徴とする。
ここで複数の容器とは食品を入れるための容器であり、それぞれの容器は色、模様、形状等、視覚的に他の容器と区別がつく２つ以上の複数の容器をいう。
本発明はこれら、それぞれ視覚的に異なる容器に対してスプーン、フォーク「スプーン（フォーク）と表現する」のいずれかがそれぞれ１つずつ対応するように組み合せられていることに特徴がある。
また、本発明で視覚的要素をもって容器とスプーン（フォーク）とを対応させるとは、例えば、（１）容器の色とスプーン（フォーク）の色とを一致させる。
（２）容器に表示した模様とスプーン（フォーク）に表示した模様を一致させる。
（３）容器の形状とスプーン（フォーク）の柄等の少なくとも部分的な形状を一致させる。
（４）容器に形成した凹凸等とスプーン（フォーク）に形成した凹凸等と一致させる。
等の視覚的に容器とスプーン（フォーク）とがそれぞれ対応している場合の全ての形態が含まれる。
【０００７】
お母さんが幼児に離乳食を与える場合を想定すると、複数の容器を載置可能にした片手持ち可能なトレーを備えるのが好ましい。
このようにすると、お母さんが一方の手でトレーを持ち、他方の手で各容器からそれぞれのスプーン又はフォークにて食物をすくうことができる。
片手持ち可能なトレーは複数の容器を載置できれば特に形状等に制限がないが、容器を載置しやすいように断面凹形状の載置凹部を有するのが好ましい。
この載置凹部は各容器毎に設けてもよく、複数の容器を同時に載置できる大きさの載置凹部であってよい。
また、片手でトレーを持つ状態で容器にスプーンの先を入れ食器をすくうには、前記載置凹部は容器を上方に取り出し可能で且つ転倒を防止する断面凹形状にするのがさらに好ましい。
【０００８】
容器は蓋がないものでもよいが、食品を加熱して幼児に与えることができるように複数の容器のうち少なくとも１つの容器は大気開放弁を備えた蓋を着脱自在に有してもよい。
また、離乳食は市販されているものも多く、その場合に市販されている包装容器は食品の内容量が多いために幼児に与える場合に１回分の量だけを本発明に係る容器に移して与えるのが好ましい。
そこで、複数の容器のうち少なくとも１つの容器は容量が１００ｍｌ以下であり、前記スプーン又は／及びフォークは、先端側を容器に入れた状態でスプーン又はフォークが当該容器の外側に転倒しない長さに設定してあるとさらに好ましい。
これにより、お母さんが片手でスプーン又はフォークの先で食品をすくうには各スプーン又はフォークの先側を容器に入れた状態でそのまま各スプーン又はフォークが外に倒れないので複数ある容器にそれぞれ対応したスプーン（フォーク）をその先が容器の中に入るように立て掛けて置き、食べさせたい食品のスプーン（フォーク）を片手で持ってすくうことができるのでよい。
【０００９】
また、離乳食の中には加熱して与えるものもあり、その場合に載置凹部のうち少なくとも１つは、加熱食品を入れた容器を外側から冷却するための冷却材とともに収納できるのが好ましい。
【発明の効果】
【００１０】
本発明に係る幼児用食器セットは複数の各容器に対してそれぞれスプーン又は／及びフォークが対応するように複数のスプーン又は／及びフォークを有するので、スプーンに異なる食品が混入する恐れがなく、幼児が正しい味覚を形成するのに有効である。
また、複数の容器を載置できる片手持ち可能なトレーを備えると、お母さんは一方の手でトレーを持ち、他方の手で各スプーン（フォーク）を取り扱うことができ、トレーに１つ又は複数の容器を載置するための断面凹形状の載置凹部を有すると便利であり、さらには容器が転倒しないように概ね嵌合した状態で載置できる凹部形状になっていると、片手でトレーを持って食品を与える際に各容器が安定する。
この場合に本発明は、各容器に対応させてスプーン（フォーク）を備えることから、スプーン（フォーク）の長さを容器に先を入れたまま外に倒れないように設定すると、各容器の内側にそれぞれスプーン（フォーク）を立て掛けながら各食品を与えることができる。
【図面の簡単な説明】
【００１１】
【図１】本発明に係る幼児用食器セットの構成例を示す。
【図２】（ａ）片手持ち可能なトレーの例を示す。       （ｂ）トレーに各容器を載置した例を示す。
【図３】トレーに蓋付容器を載置した例を示す。
【図４】トレーを片手で持ち、各容器にスプーンの先側を入れた状態を示す。
【図５】トレー及び容器の断面図を示し、（ａ）はＡ−Ａ線断面図を示し、（ｂ）は容器をトレーから取り出した状態を示す。
【図６】（ａ）は蓋の断面図を示し、（ｂ）は容器にスプーンの先を入れた状態を示す。
【図７】容器がトレーから転倒しない条件を模式的に示す。
【図８】（ａ）はトレーの平面図、（ｂ）はトレーの底面図を示す。
【図９】トレーの（ｃ）正面図、（ｄ）背面図、（ｅ）右側面図、（ｆ）左側面図を示す。
【図１０】トレーの（ｇ）Ｂ−Ｂ線断面図、（ｈ）Ｃ−Ｃ線断面図を示す。
【図１１】蓋付容器の（ａ）正面図、（ｂ）右側面図、（ｃ）左側面図を示す。
【図１２】蓋付容器の（ｄ）平面図、（ｅ）底面図、（ｆ）Ｄ−Ｄ線断面図を示す。
【図１３】（ａ）蓋の裏面図、（ｂ）容器のみの正面図、（ｃ）容器のみの平面図を示す。
【図１４】（ａ）冷却材の例を示し、（ｂ）冷却材の内側に容器を入れた状態を示す。
【図１５】トレーの裏面に滑り止めを設けた例を示す。
【図１６】計量カップの例を示す。
【図１７】蓋付容器を段重ねした例を示す。
【発明を実施するための形態】
【００１２】
以下、図面に基づいて本発明に係る幼児用食器セットの構成例を説明するが、本発明はこれに限定されるものではない。
【００１３】
図１は、片手持ち可能なトレー１１に色分けした３つの容器（第１容器２１，第２容器２２，第３容器２３）を載置した例を示し、この３つの容器の色分けに対して視覚的に対応させた３つのスプーン（第１スプーン３１，第２スプーン３２，第３スプーン３３）をセットした幼児用食器セットの例を示す。
本実施例では、トレー１１の外形形状を蝶の形状にデザインした例になっていて図４に示すように、保持部１２に親指を当てて他の指で裏面側を支持するように片手持ちできる例となっているが、片手持ちできる形状であれば本実施例に限定されるものでない。
また、トレー１１の大きさは電子レンジに入る大きさが好ましい。
また、本実施例では図３に斜視図、Ａ−Ａ線断面図を図５に示すように第１〜第３容器２１，２２，２３に蓋２１ａ，２２ａ，２３ａを着脱自在に設けた例になっていて、図２（ｂ）に示すように蓋を取った状態にする。
なお、各容器の蓋を予め取ってからトレー１１に載置してもよい。
次に、図４に示すように第１容器２１の色分け、例えば赤色に対応して皿状部３１ａが赤色の第１スプーン３１を食品ａの中に差し入れる。
第２容器２２の色分け、例えば青色に対応して皿状部３２ａが青色の第２スプーン３２を食品ｂの中に差し入れる。
第３容器２３の色分け、例えば黄色に対応して皿状部３３ａが黄色の第３スプーン３３を食品ｃの中に差し入れる。
このように配置して使用すると、お母さんは片方の手１でトレー１１を持ち、他方の手で第１〜第３のスプーン３１，３２，３３のそれぞれを用いて、その柄部３１ｂ，３２ｂ，３３ｂを持ち、それぞれのスプーンに対応した食品ａ，ｂ，ｃをすくって幼児に与えることができる。
これにより、同じスプーンで異なる食品をすくうことが無くなり、幼児は食品に合せた正しい味覚を形成するのに寄与する。
【００１４】
本実施例は、色分けにより容器とスプーンを対応させた例になっているが、視覚的に対応できれば容器の形状とスプーンの柄部の形状、容器に設けたマーク、模様とスプーンに設けたマーク、模様と対応させる等、一々対応が視覚的要素にてとらわれていれば、その手段を選ばない。
また、スプーンの替わりにフォークであってもよく、また、容器の数も２つ以上であれば数に制限はない。
【００１５】
本発明の趣旨は、複数の容器を構成する各容器にそれぞれスプーン（フォーク）を対応させた点にあり、必ずしもトレーは必要がないが、複数の容器を１つの片手持ち可能なトレーに載置できれば、お母さんの複数容器の取扱いが楽になる。
従って、複数の容器を同時に載置できる片手持ちトレーであれば各種形状のトレーを用いることができるが、本実施例ではさらに図２及び図５に示すように容器２１，２２，２３を上方に取り出すことはできるが容器２１，２２，２３をトレー１１に載置した状態で、この容器が転倒しないように各容器が嵌合するような断面凹形状の載置凹部１３，１４，１５を設けた例になっている。
載置凹部の形状は符号１３，１４で示すように容器単独の外形形状に合せた１つの凹形状でも符号１５で示すように載置凹部１５ａ，１５ｂを側部で連通させた凹形状でもよく、必ずしも各容器を単独で載置する大きさの断面凹形状でなくても複数の容器を合せて載置できる大きさであってよい。
このように連通した側部で連通した凹形状にすると、離乳期経過後にトレー１１の凹部に食品を直接収納する食器として使用する際にウインナー等、長い食品も収納でき便利である。
【００１６】
載置凹部１３，１４，１５の深さＤは、図５で説明すると、容器２１，２２，２３の高さＨの１／５〜１／２程度がよい。
なお、容器の転倒防止の観点からは図７で説明すると、容器の回転ポイントをＰ１、回転ポイントＰ１の反対側の容器底部付近の最大外接円ポイントＰ２とした場合に容器の高さＨＰにおけるＰ１とＰ２との距離ＬＰがトレーの凹部形状の内径Ｄ０よりも大きいことが条件となる。
【００１７】
図４に示すように各容器２１，２２，２３にそれぞれスプーン３１，３２，３３を差し入れて使用することから図６に示すようにスプーン３１の先側、皿状部３１ａを容器２１の内側に入れて側壁に立て掛けた状態でスプーン３１が外側に倒れないのが好ましい。
従って、容器２１の深さＨ０に対して対角線の長さをＬＨとし、スプーン３１の先端から重心Ｗまでの距離をＬＷとすると、ＬＨ＞ＬＷの関係であることが条件となる。
また、スプーンの重心Ｗが極端に皿状部３１ａ側に片寄ると柄部３１ｂを持って食品をすくうのに違和感が生じることから、スプーンの全長ＬＴ  を容器の深さＨ０の２．５倍以下が好ましい。
例えばＨ０＝４０〜６０ｍｍ，ＬＴ＝１００〜１５０ｍｍである。
【００１８】
本実施例に係る容器は幼児に与える１回当たりの食品量を考慮して容量１００ｍｌ以下の大きさに設定し、底部３２１を上方にやや凸状になるようにし、側壁の内側立上げ部２２１をＲ形状にすることで食品をスプーンですくいやすくしてある。
また、弾性材からなる蓋２１ａの裏面外周部２１ｆを下方に折り返し嵌着凹部２１ｇと、つまみ部２１ｂを形成し、容器の上縁部を外側にリング状に突出させた係着部１２１に蓋２１ａの嵌着凹部２１ｇを着脱自在に嵌着できる例になっている。
蓋２１ａに樹脂又はゴム製の大気開放弁２１ｃを取付けた例になっていて、容器の内圧が高くなると弾性弁２１ｄが外側に変形し、通気口２１ｅからスチームやエアーが抜けるようになっている。
本実施例では図１２（ｄ）の平面図及び図１３（ａ）蓋の裏面図に示すように、透明又は半透明の蓋の中央部に設けた取付孔とその周囲に通気口２１ｅを有し、取付孔に略キノコ形の大気開放弁２１ｃを嵌着してある。
通常はつば状の弾性弁２１ｄでこの通気口２１ｅを塞いだ状態にあり、内圧が高くなると弾性弁２１ｄが外側に開く。
また、蓋の上面は外周部がリング状に盛り上がり中央部が平面状になっているので図１７に示すように段重ねにすることもできる。
【００１９】
加熱食品を取り扱う場合には、図１４に示すように高分子ポリマー２５ａを内蔵した冷却材ケース２５に容器２４を入れ、容器を外側から冷やすようにした状態でトレー１１の例えは載置凹部１５ａに載置してもよい。
この場合には容器２４を冷却材ケース２５に入れた状態で転倒防止できる大きさの凹部形状となる。
【００２０】
また、本発明では図１５に示すようにトレー１１の裏面にゴム状の滑り止め具１６ａ，１６ｂ，１６ｃを取り付けてもよい。
さらには、図１６に示すような計量カップ２６を食器セットに加えてもよい。
【符号の説明】
【００２１】
１０        食器セット
１１        トレー
２１        第１容器
２２        第２容器
２３        第３容器
３１        第１スプーン
３２        第２スプーン
３３        第３スプーン
【図１】
0005686432.tif 000002
【図２】
0005686432.tif 000003
【図３】
0005686432.tif 000004
【図４】
0005686432.tif 000005
【図５】
0005686432.tif 000006
【図６】
0005686432.tif 000007
【図７】
0005686432.tif 000008
【図８】
0005686432.tif 000009
【図９】
0005686432.tif 000010
【図１０】
0005686432.tif 000011
【図１１】
0005686432.tif 000012
【図１２】
0005686432.tif 000013
【図１３】
0005686432.tif 000014
【図１４】
0005686432.tif 000015
【図１５】
0005686432.tif 000016
【図１６】
0005686432.tif 000017
【図１７】
0005686432.tif 000018